(57)【要約】【課題】読取装置によって一連の用紙群であることを示す動作が行われた場合に、複数の用紙識別情報を用紙群として統合するようにした情報処理装置を提供する。【解決手段】情報処理装置の受付手段は、読取装置によって読み取られた、用紙上に印刷された情報画像に含まれる用紙識別情報を受け付け、検出手段は、前記読取装置による読取動作が、複数の用紙が一連の用紙群であることを検出し、統合手段は、前記検出手段によって前記一連の用紙群であることを示す動作が検出されると、前記読取動作の間に受付手段が受け付けた複数の前記用紙識別情報がそれぞれ示す複数の用紙に対応する情報を統合する。【選択図】図１
2014109942.tif 000002
【特許請求の範囲】
【請求項１】
読取装置によって読み取られた、用紙上に印刷された情報画像に含まれる用紙識別情報を受け付ける受付手段と、
前記読取装置による読取動作が、複数の用紙が一連の用紙群であることを検出する検出手段と、
前記検出手段によって前記一連の用紙群であることを示す動作が検出されると、前記読取動作の間に受付手段が受け付けた複数の前記用紙識別情報がそれぞれ示す複数の用紙に対応する情報を統合する統合手段と、
を有する情報処理装置。
【請求項２】
前記受付手段は、前記読取装置の書き込み開始を示す開始情報と前記書き込みの終了を示す終了情報を受け付け、
前記検出手段は、前記受付手段が受け付けた前記開始情報と前記終了情報の間に複数の前記用紙識別情報が存在する場合に、前記一連の用紙群であることを示す動作が行われたと検出する、
ことを特徴とする請求項１に記載の情報処理装置。
【請求項３】
前記検出手段は、予め定められた時間内に複数の異なる前記用紙識別情報が存在する場合に、前記一連の用紙群であることを示す動作が行われたと検出する、
ことを特徴とする請求項１に記載の情報処理装置。
【請求項４】
前記統合手段は、
複数の用紙に対応する情報として、用紙識別情報が示す用紙に対応する画像データを統合する、
ことを特徴とする請求項１〜３のいずれか１項に記載の情報処理装置。
【請求項５】
前記画像データは、用紙に印刷される文書データと、用紙に加筆された筆記データのうちの少なくとも一方を含む、
ことを特徴とする請求項４に記載の情報処理装置。
【請求項６】
前記情報画像は座標情報を含み、
前記受付手段は、前記情報画像に含まれる座標情報を受け付け、
前記検出手段は、前記受付手段が受け付けた前記座標情報が示す座標が、前記用紙の予め定められた領域内にあり、複数の異なる前記用紙識別情報が存在する場合に、前記一連の用紙群であることを示す動作が行われたと検出する、
ことを特徴とする請求項１〜５のいずれか１項に記載の情報処理装置。
【請求項７】
前記受付手段は、前記読取装置が読み取りできなかったこと示す読取不可情報を受け付け、
前記検出手段は、第１の用紙識別情報と第２の用紙識別情報の間に前記読取不可情報が存在すると、前記一連の用紙群であることを示す動作を検出する、
ことを特徴とする請求項６に記載の情報処理装置。
【請求項８】
コンピュータを、
読取装置によって読み取られた、用紙上に印刷された情報画像に含まれる用紙識別情報を受け付ける受付手段と、
前記読取装置による読取動作が、複数の用紙が一連の用紙群であることを検出する検出手段と、
前記検出手段によって前記一連の用紙群であることを示す動作が検出されると、前記読取動作の間に受付手段が受け付けた複数の前記用紙識別情報がそれぞれ示す複数の用紙に対応する情報を統合する統合手段
として機能させるための情報処理プログラム。
【請求項９】
コンピュータを、
読取装置によって読み取られた、用紙上に印刷された情報画像に含まれる用紙識別情報を受け付ける受付手段と、
前記読取装置による読取動作が、複数の用紙が一連の用紙群であることを検出する検出手段と、
前記検出手段によって前記一連の用紙群であることを示す動作が検出されると、前記読取動作の間に受付手段が受け付けた複数の前記用紙識別情報がそれぞれ示す複数の用紙に対応する情報を統合する統合手段
として機能させるための情報処理プログラムを記録したコンピュータ読み取り可能な記録媒体。
【発明の詳細な説明】
【技術分野】
【０００１】
本発明は、情報処理装置及び情報処理プログラムに関する。
【背景技術】
【０００２】
特許文献１には、１組の電子ペン用複写帳票に印刷されるドットパターンを１つのドットパターン領域から割り当てると共に、各電子ペン用複写帳票を識別するバーコードを設けることで、電子ペンにより記入された情報を効率的に処理する処理システムを提供することを課題とし、処理システムにおいて、１組の製品検査シートを構成する複数の電子ペン用帳票には、１つのドットパターン領域から割り当てられたドットパターンが印刷されており、サーバは、電子ペンから取得した記入情報に基づいて、１つのドットパターン領域に記入された記入情報をグループ記入情報として特定し、さらに、サーバは、項目記入情報に基づいて識別情報を特定し、そして、サーバは、特定した識別情報と、特定したグループ記入情報とを対応付けた情報を製品情報ＤＢに記憶することが開示されている。
【０００３】
特許文献２には、１枚の電子ペン用帳票にバーコード印刷部及びバーコード加工部を設けることで、複数の電子ペン用帳票から構成される電子ペン用複写帳票に記入された記入情報のデータ処理を効率的に行う処理システムを提供することを課題とし、処理システムにおいて、利用者は、電子ペンを使用して入会申込書に記入を行い、入会申込書は、複数の電子ペン用帳票から構成されており、その中の１枚の電子ペン用帳票はバーコード印刷部及びバーコード加工部を有しており、それ以外の電子ペン用帳票は、バーコード印刷部又はバーコード加工部を有しておらず、バーコード加工部から取り外したバーコードは、異なる枚目の電子ペン用帳票に貼付することができ、そのため、サーバは、バーコードを使用して、各枚目の電子ペン用帳票に記入された記入情報を容易に紐付けることができることが開示されている。
【先行技術文献】
【特許文献】
【０００４】
【特許文献１】特開２００７−２８７０４７号公報
【特許文献２】特開２００７−３１６７９５号公報
【発明の概要】
【発明が解決しようとする課題】
【０００５】
本発明は、読取装置によって一連の用紙群であることを示す動作が行われた場合に、複数の用紙識別情報を用紙群として統合するようにした情報処理装置及び情報処理プログラムを提供することを目的としている。
【課題を解決するための手段】
【０００６】
かかる目的を達成するための本発明の要旨とするところは、次の各項の発明に存する。
請求項１の発明は、読取装置によって読み取られた、用紙上に印刷された情報画像に含まれる用紙識別情報を受け付ける受付手段と、前記読取装置による読取動作が、複数の用紙が一連の用紙群であることを検出する検出手段と、前記検出手段によって前記一連の用紙群であることを示す動作が検出されると、前記読取動作の間に受付手段が受け付けた複数の前記用紙識別情報がそれぞれ示す複数の用紙に対応する情報を統合する統合手段と、を有する情報処理装置である。
【０００７】
請求項２の発明は、前記受付手段は、前記読取装置の書き込み開始を示す開始情報と前記書き込みの終了を示す終了情報を受け付け、前記検出手段は、前記受付手段が受け付けた前記開始情報と前記終了情報の間に複数の前記用紙識別情報が存在する場合に、前記一連の用紙群であることを示す動作が行われたと検出する、ことを特徴とする請求項１に記載の情報処理装置である。
【０００８】
請求項３の発明は、前記検出手段は、予め定められた時間内に複数の異なる前記用紙識別情報が存在する場合に、前記一連の用紙群であることを示す動作が行われたと検出する、ことを特徴とする請求項１に記載の情報処理装置である。
【０００９】
請求項４の発明は、前記統合手段は、複数の用紙に対応する情報として、用紙識別情報が示す用紙に対応する画像データを統合する、ことを特徴とする請求項１〜３のいずれか１項に記載の情報処理装置である。
【００１０】
請求項５の発明は、前記画像データは、用紙に印刷される文書データと、用紙に加筆された筆記データのうちの少なくとも一方を含む、ことを特徴とする請求項４に記載の情報処理装置である。
【００１１】
請求項６の発明は、前記情報画像は座標情報を含み、前記受付手段は、前記情報画像に含まれる座標情報を受け付け、前記検出手段は、前記受付手段が受け付けた前記座標情報が示す座標が、前記用紙の予め定められた領域内にあり、複数の異なる前記用紙識別情報が存在する場合に、前記一連の用紙群であることを示す動作が行われたと検出する、ことを特徴とする請求項１〜５のいずれか１項に記載の情報処理装置である。
【００１２】
請求項７の発明は、前記受付手段は、前記読取装置が読み取りできなかったこと示す読取不可情報を受け付け、前記検出手段は、第１の用紙識別情報と第２の用紙識別情報の間に前記読取不可情報が存在すると、前記一連の用紙群であることを示す動作を検出する、ことを特徴とする請求項６に記載の情報処理装置である。
【００１３】
請求項８の発明は、コンピュータを、読取装置によって読み取られた、用紙上に印刷された情報画像に含まれる用紙識別情報を受け付ける受付手段と、前記読取装置による読取動作が、複数の用紙が一連の用紙群であることを検出する検出手段と、前記検出手段によって前記一連の用紙群であることを示す動作が検出されると、前記読取動作の間に受付手段が受け付けた複数の前記用紙識別情報がそれぞれ示す複数の用紙に対応する情報を統合する統合手段として機能させるための情報処理プログラムである。
【００１４】
請求項９の発明は、コンピュータを、読取装置によって読み取られた、用紙上に印刷された情報画像に含まれる用紙識別情報を受け付ける受付手段と、前記読取装置による読取動作が、複数の用紙が一連の用紙群であることを検出する検出手段と、前記検出手段によって前記一連の用紙群であることを示す動作が検出されると、前記読取動作の間に受付手段が受け付けた複数の前記用紙識別情報がそれぞれ示す複数の用紙に対応する情報を統合する統合手段として機能させるための情報処理プログラムを記録したコンピュータ読み取り可能な記録媒体である。
【発明の効果】
【００１５】
請求項１の情報処理装置によれば、読取装置によって一連の用紙群であることを示す動作が行われた場合に、複数の用紙識別情報を用紙群として統合することができる。
【００１６】
請求項２の情報処理装置によれば、開始情報から終了情報までの間に複数の異なる用紙識別情報がある場合には、一連の用紙群であることを示す動作が行われたと検出することができる。
【００１７】
請求項３の情報処理装置によれば、予め定められた時間内に複数の異なる用紙識別情報がある場合には、一連の用紙群であることを示す動作が行われたと検出することができる。
【００１８】
請求項４の情報処理装置によれば、複数の用紙に対応する情報として、用紙識別情報が示す用紙に対応する画像データを統合することができる。
【００１９】
請求項５の情報処理装置によれば、用紙に印刷される文書データと、用紙に加筆された筆記データのうちの少なくとも一方を含む画像データに対応することができる。
【００２０】
請求項６の情報処理装置によれば、座標情報が予め定められた領域内にあり、複数の異なる用紙識別情報がある場合には、一連の用紙群であることを示す動作が行われたと検出することができる。
【００２１】
請求項７の情報処理装置によれば、第１の用紙識別情報と第２の用紙識別情報の間に読取不可情報がある場合には、一連の用紙群であることを示す動作が行われたと検出することができる。
【００２２】
請求項８の情報処理プログラムによれば、読取装置によって一連の用紙群であることを示す動作が行われた場合に、複数の用紙識別情報を用紙群として統合することができる。
【００２３】
請求項９の情報処理プログラムを記録したコンピュータ読み取り可能な記録媒体によれば、読取装置によって一連の用紙群であることを示す動作が行われた場合に、複数の用紙識別情報を用紙群として統合することができる。
【図面の簡単な説明】
【００２４】
【図１】本実施の形態の構成例についての概念的なモジュール構成図である。
【図２】本実施の形態を実現化する場合のシステム例を示す説明図である。
【図３】本実施の形態による処理例を示すフローチャートである。
【図４】情報画像が印刷された電子ペン用紙の例を示す説明図である。
【図５】電子ペン内の構成例を示す説明図である。
【図６】電子ペンによる処理例を示すフローチャートである。
【図７】本実施の形態で取り扱う情報画像（コードパターン画像）の例を示す説明図である。
【図８】本実施の形態における情報の符号化処理例及び情報画像（ドットコード画像）の生成処理例を示す説明図である。
【図９】本実施の形態のより具体的な構成例を示すモジュール構成図である。
【図１０】本実施の形態による処理例を示す説明図である。
【図１１】本実施の形態による処理例を示すフローチャートである。
【図１２】統合文書テーブルのデータ構造例を示す説明図である。
【図１３】電子ペン用紙印刷システム内の構成例についての概念的なモジュール構成図である。
【図１４】統合指示領域のデータ構造例を示す説明図である。
【図１５】本実施の形態による処理例を示すフローチャートである。
【図１６】電子ペン用紙の例を示す説明図である。
【図１７】本実施の形態による処理例を示す説明図である。
【図１８】本実施の形態を実現するコンピュータのハードウェア構成例を示すブロック図である。
【発明を実施するための形態】
【００２５】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２６】
用紙識別情報は、用紙を一枚一枚特定するための情報であり、後述の紙ＩＤ（ＩＤｅｎｔｉｆｉｃａｔｉｏｎ）と同一のものである。用紙識別情報は、その用紙識別情報を表す情報画像が用紙に印刷されることで、用紙を一意に識別することが可能になる。
本実施の形態である情報処理装置は、複数枚の用紙に印刷された情報画像を解析するものであって、図１の例に示すように、受付モジュール１１０、検出モジュール１２０、統合モジュール１３０、出力モジュール１４０を有している。
本実施の形態は、紙面に電子ペンで筆記することにより、その筆記を電子化した筆記情報を取得する技術に関するものである。こうした技術では、まず、紙面に対し、紙面上の位置に固有な情報画像（符号パターン）を印刷しておく。これにより、電子ペンで紙面に筆記すると、電子ペンがペン先の位置にある情報画像を読み取って復号し、筆記位置を判別する。そして、判別された複数の筆記位置から筆記情報を生成する。電子ペンの詳細な説明は、図５等を用いて後述する。
【００２７】
受付モジュール１１０は、検出モジュール１２０と接続されており、読取装置によって読み取られた情報を受け付ける。その読取装置は、具体的には後述する電子ペンであり、用紙を識別する情報である用紙識別情報を少なくとも含む情報画像が印刷された複数枚の用紙から、その情報画像を読み取る。なお、「用紙識別情報を含む情報画像」における情報画像は、用紙識別情報に基づいて生成されたものである。そして、その情報画像を読み取って解析した場合に、用紙識別情報を抽出し得るものである。
【００２８】
また、受付モジュール１１０は、読取装置の書き込み開始を示す開始情報とその書き込みの終了を示す終了情報をも受け付けるようにしてもよい。「書き込み開始を示す開始情報」として、例えば、筆圧ＯＮ情報（電子ペン２３５によって筆記される程度の圧力がかかっていることを示す情報）がある。「書き込みの終了を示す終了情報」として、例えば、筆圧ＯＦＦ情報（電子ペン２３５によって筆記される程度の圧力がかかっていないことを示す情報、つまり、電子ペン２３５は筆記状態ではないことを示す情報）がある。そして、時系列で、筆圧ＯＮ情報、用紙識別情報と座標情報の組が複数、筆圧ＯＦＦ情報を受け取ることになる。筆圧ＯＮ情報から筆圧ＯＦＦ情報までの間の情報で、１つのストローク情報（一筆で書かれた軌跡）が構成されることになる。
【００２９】
また、受付モジュール１１０は、読み取りが行われた時間を示す時間情報をも受け付けるようにしてもよい。例えば、読取装置に内蔵されている時計から時間情報を抽出するようにしてもよい。
また、情報画像内には座標情報も含まれており、受付モジュール１１０は、情報画像内の座標情報をも受け付けるようにしてもよい。
また、受付モジュール１１０は、読取装置が読み取りできなかったことを示す読取不可情報をも受け付けるようにしてもよい。例えば、読取装置は、情報画像がない領域（例えば、空白領域等）を読み込んだ場合等に、読取不可情報を出力する。
【００３０】
検出モジュール１２０は、受付モジュール１１０、統合モジュール１３０、出力モジュール１４０と接続されており、受付モジュール１１０が受け付けた情報に基づいて、その情報内の用紙識別情報が示す用紙は一連の用紙群であることを示す動作（以下、統合動作ともいう）が読取装置を用いて行われたことを検出する。統合動作としては、例えば、１つのストロークで複数の用紙に筆記を行うような動作がある。
また、検出モジュール１２０は、開始情報から終了情報までの間に複数の異なる用紙識別情報がある場合には、統合動作が行われたと検出するようにしてもよい。例えば、前述のように、筆圧ＯＮ情報から筆圧ＯＦＦ情報までの間の情報（１つのストローク情報）に、複数の異なる用紙識別情報があれば、図１０（ａ）を用いて後述する統合動作が行われたものと判断する。
また、検出モジュール１２０は、予め定められた時間内に複数の異なる用紙識別情報がある場合には、統合動作が行われたと検出するようにしてもよい。例えば、予め定められた時間として、１枚目の用紙に最後の筆記を行い、用紙をめくって、次の２枚目の用紙に筆記を行うまでの時間（この時間は予め計測しておく）未満であれば、統合動作が行われたものと判断する。
【００３１】
また、検出モジュール１２０は、受付モジュール１１０が受け付けた座標情報が予め定められた領域内にあり、複数の異なる用紙識別情報がある場合には、統合動作が行われたと検出するようにしてもよい。予め定められた領域として、例えば、図１６、図１７を用いて後述するように、用紙の４角のいずれか１つとしてもよい。これらの領域内の座標情報であって、複数の異なる用紙識別情報があれば、統合動作が行われたものと判断する。なお、開始情報から終了情報までの間であること、予め定められた時間内であることを条件に付加してもよい。
また、検出モジュール１２０は、第１の用紙識別情報と第２の用紙識別情報の間に読取不可情報がある場合には、統合動作が行われたと検出するようにしてもよい。なお、もちろんのことながら、第２の用紙識別情報は、第１の用紙識別情報とは異なる用紙識別情報である。また、開始情報から終了情報までの間であること、予め定められた時間内であること、予め定められた領域内の座標であることを条件に付加してもよい。
【００３２】
統合モジュール１３０は、検出モジュール１２０、出力モジュール１４０と接続されており、検出モジュール１２０が統合動作を検出した場合は、複数の用紙識別情報を一連の用紙群として統合する。ここで、統合するとは、複数の用紙識別情報が示す用紙に対応する情報を、互いに関連するものとして扱うことである。例えば、それらの複数の用紙識別情報に対して、統合した用紙群を一意に識別し得る情報（統合文書ＩＤ）を関連付けるようにしてもよい。具体的には、統合文書テーブル１２００を作成してもよい。また、互いに関連することを表す新たな属性を付加したり、１つのフォルダ内に文書データを格納しても良い。さらに、用紙識別情報で特定された要否に対応する文書データと、当該用紙に筆記された筆記情報と、を合成し、それら複数のデータを１つのデータとすることもできる。
図１２は、統合文書テーブル１２００のデータ構造例を示す説明図である。統合文書テーブル１２００は、統合文書ＩＤ欄１２１０、用紙数欄１２２０、紙ＩＤ（１）欄１２３０、紙ＩＤ（２）欄１２４０等を有している。統合文書ＩＤ欄１２１０は、統合文書ＩＤを記憶している。用紙数欄１２２０は、その統合文書に含まれている用紙数を記憶している。この用紙数の数だけ、紙ＩＤ（１）欄１２３０が続く。紙ＩＤ（１）欄１２３０、紙ＩＤ（２）欄１２４０等は、その統合文書に含まれている用紙の用紙識別情報を記憶している。なお、筆記情報内における時系列の順番の通りに、紙ＩＤ（１）欄１２３０以降に並べて用紙識別情報を格納することによって、その統合文書におけるページとしてもよい。
【００３３】
出力モジュール１４０は、検出モジュール１２０、統合モジュール１３０と接続されており、統合モジュール１３０によって統合された一連の用紙群を出力する。ここで出力するとは、例えば、一連の用紙群であることを示す情報及びその一連の用紙群の文書情報等を文書データベース等の文書記憶装置へ書き込むこと、メモリーカード等の記憶媒体に記憶すること、他の情報処理装置へ渡すこと等が含まれる。例えば、１つの用紙群内の各用紙にページを付して１つの文書としてもよいし、１つのフォルダ内にその用紙群の文書データを格納するようにしてもよい。そして、例えば、他の情報処理装置としてアンケート集計装置があり、アンケートの実行日毎の複数のアンケート用紙を処理対象として、アンケート結果を日毎に集計することが行われる。また、他の情報処理装置として翻訳装置があり、翻訳対象として複数ページの文書に対して翻訳処理を行う。
【００３４】
図２は、本実施の形態を実現化する場合のシステム例を示す説明図である。
電子ペン用紙印刷システム２２０、筆記情報処理システム２３０は、通信回線２９９（有線、無線、その混合を問わない回線）を介して接続されている。電子ペン用紙印刷システム２２０には印刷装置２２５が接続されており、筆記情報処理システム２３０には電子ペン２３５が接続されている。なお、図１に例示したモジュール構成は、主に、筆記情報処理システム２３０に構築されている。
電子ペン用紙印刷システム２２０は、紙ＩＤを用いて情報画像（以下、ドットコード画像ともいう）を重ね合わせた文書を用紙に印刷装置２２５を用いて印刷するシステムである。筆記情報処理システム２３０は、電子ペン用紙印刷システム２２０によって情報画像が印刷された用紙に対して、電子ペン２３５を用いて筆記が行われた場合に、その筆記情報を文書に重ね合わせるシステムである。そして、電子ペン２３５を操作している操作者の統合動作を検出した場合は、それらの用紙を一連の用紙群として統合する。
【００３５】
本実施の形態の情報処理システムでの電子ペンに関する処理では、例えば、電子ペン用紙上に印刷される帳票イメージ、又は、筆記を処理する際に使用するフィールド定義と、用紙に割り当てられる紙ＩＤとの対応関係は、帳票を印刷して電子ペン用紙を作成する際に決定され、その情報処理システム中に記憶される。電子ペンを使用して手書きされた筆記情報を処理する際には、筆記情報から紙ＩＤを取り出し、情報処理システム中に記憶されている情報をたどって帳票イメージや、フィールド定義を取り出す。
【００３６】
図３は、本実施の形態による処理例を示すフローチャートである。
ステップＳ３０２では、受付モジュール１１０が、電子ペン２３５から筆記情報を受け付ける。
ステップＳ３０４では、検出モジュール１２０が、受付モジュール１１０が受け付けた筆記情報が統合動作であるか否かを判断し、統合動作である場合はステップＳ３０６へ進み、それ以外の場合はステップＳ３０８へ進む。
ステップＳ３０６では、統合モジュール１３０が、統合動作である筆記情報に含まれる紙ＩＤを統合する処理を行う。
ステップＳ３０８では、出力モジュール１４０が、処理結果を出力する。
【００３７】
図４は、本実施の形態によって、情報画像が印刷された電子ペン用紙４１０の例を示す説明図である。電子ペン用紙４１０は、電子ペン用紙印刷システム２２０が印刷装置２２５を用いて印刷するものである。電子ペン用紙４１０には、ドットコード画像が印刷されている。例えば、電子ペン用紙４１０内の領域４２０には、領域４２０内を拡大して示している図４（ｂ）のようなドットコード画像が印刷されている。ドットコード画像によって、電子ペン用紙４１０一枚一枚に割り当てられた紙ＩＤと用紙上の位置情報（Ｘ，Ｙ座標値）が表現されている。
例えば、紙ＩＤは、３２ｂｉｔの空間内の数値である。文字列表記の場合は、１６進文字列により表記する。よって、紙ＩＤの範囲は「００００００００」から「ＦＦＦＦＦＦＦＦ」である。
【００３８】
図５は、電子ペン２３５内の構成例を示す説明図である。
概要を説明する。電子ペン用紙５９９上に電子ペン２３５で筆記する際、圧力センサがＯＮになると、電子ペン用紙５９９上のドットコード画像を撮像し、デコードして、電子ペン用紙５９９の紙ＩＤと電子ペン用紙５９９上の位置情報（Ｘ，Ｙ座標値）を取り出し、メモリに格納する。そして、メモリに格納された情報は、通信回路を経由して筆記情報処理システム２３０に送信する。なお、圧力センサがＯＮになった情報として前述の筆圧ＯＮ情報、圧力センサがＯＦＦになった情報として前述の筆圧ＯＦＦ情報をもメモリに格納してもよい。また、それぞれの情報が発生した時刻に関する情報（年、月、日、秒、秒以下、又はこれらの組み合わせであってもよい）を含ませるようにしてもよい。そして、前述の読取不可情報が含まれていてもよい。
【００３９】
次に詳細に説明する。図示するように、電子ペン２３５は、ペン全体の動作を制御する制御回路５０１を備える。また、制御回路５０１は、入力画像から検出したドットコード画像を処理する画像処理部５０１ａと、そこでの処理結果から紙ＩＤ及び位置情報を抽出するデータ処理部５０１ｂとを含む。
そして、制御回路５０１には、電子ペン２３５による筆記動作をペンチップ５０９に加わる圧力によって検出する圧力センサ５０２が接続されている。また、用紙上に赤外光を照射する赤外ＬＥＤ５０３と、画像を入力する赤外ＣＭＯＳ５０４も接続されている。さらに、紙ＩＤ及び位置情報等を記憶するための情報メモリ５０５と、外部装置と通信するための通信回路５０６と、ペンを駆動するためのバッテリ５０７と、ペンの識別情報(ペンＩＤ)を記憶するペンＩＤメモリ５０８も接続されている。
【００４０】
ここで、この電子ペン２３５の動作の概略を説明する。
電子ペン２３５による筆記が行われると、ペンチップ５０９に接続された圧力センサ５０２が、筆記動作を検出する。これにより、赤外ＬＥＤ５０３が点灯し、赤外ＣＭＯＳ５０４がＣＭＯＳセンサによって用紙上の画像を撮像する。
なお、赤外ＬＥＤ５０３は、消費電力を抑制するために、ＣＭＯＳセンサのシャッタタイミングに同期させてパルス点灯する。
また、赤外ＣＭＯＳ５０４は、撮像した画像を同時に転送できるグローバルシャッタ方式のＣＭＯＳセンサを使用する。そして、赤外領域に感度があるＣＭＯＳセンサを使用する。また、外乱の影響を低減するために、ＣＭＯＳセンサ全面に可視光カットフィルタを配置している。ＣＭＯＳセンサは、７０ｆｐｓ〜１００ｆｐｓ（ｆｒａｍｅ  ｐｅｒ  ｓｅｃｏｎｄ）程度の周期で、画像を撮像する。なお、撮像素子はＣＭＯＳセンサに限定するものではなく、ＣＣＤ等、他の撮像素子を使用してもよい。
【００４１】
このように撮像した画像が制御回路５０１に入力されると、制御回路５０１は、撮像した画像からドットコード画像を取得する。そして、それを復号し、ドットコード画像に埋め込まれている紙ＩＤ及び位置情報を取得する。
以下、このときの制御回路５０１の動作について説明する。
図６は、電子ペン２３５（制御回路５０１）による処理例を示すフローチャートである。
ステップＳ６０１では、画像処理部５０１ａは、画像を入力する。
ステップＳ６０２では、画像に含まれるノイズを除去するための処理を行う。ここで、ノイズとしては、ＣＭＯＳ感度のばらつきや電子回路により発生するノイズ等がある。ノイズを除去するために如何なる処理を行うかは、電子ペン２３５の撮像系の特性に応じて決定すべきである。例えば、ぼかし処理やアンシャープマスキング等の先鋭化処理を適用することができる。
ステップＳ６０３では、画像処理部５０１ａは、画像からドットパターン（ドット画像の位置）を検出する。例えば、２値化処理によりドットパターン部と背景部とを切り分け、２値化された個々の画像位置からドットパターンを検出することができる。２値化画像にノイズ成分が多数含まれる場合は、例えば、２値化画像の面積や形状によりドットパターンの判定を行うフィルタ処理を組み合わせる必要がある。
【００４２】
また、ステップＳ６０４では、画像処理部５０１ａは、検出したドットパターンを２次元配列上のデジタルデータに変換する。例えば、２次元配列上で、ドットがある位置を「１」、ドットがない位置を「０」というように変換する。そして、この２次元配列上のデジタルデータは、画像処理部５０１ａからデータ処理部５０１ｂへと受け渡される。
次いで、ステップＳ６０５では、データ処理部５０１ｂは、受け渡されたデジタルデータから、図７（ａ）に示した２つのドットの組み合わせからなるビットパターンを検出する。例えば、ビットパターンに対応するブロックの境界位置を２次元配列上で動かし、ブロック内に含まれるドットの数が２つになるような境界位置を検出することにより、ビットパターンを検出することができる。
このようにしてビットパターンが検出されると、ステップＳ６０６では、データ処理部５０１ｂは、ビットパターンの種類を参照することにより、同期符号を検出する。
そして、ステップＳ６０７では、同期符号からの位置関係に基づいて、識別符号及び位置符号を検出する。
その後、ステップＳ６０８では、データ処理部５０１ｂは、識別符号を復号して紙ＩＤを取得し、位置符号を復号して位置情報を取得する。識別符号については、ＲＳ復号処理を施すことで紙ＩＤを得る。一方、位置符号については、読み出した部分系列の位置を、画像生成時に使用したＭ系列と比較することで、位置情報を得る。
【００４３】
次に、筆記情報格納用電子文書について説明する。以降、単に電子文書と表記した場合、筆記情報格納用電子文書を指す。
筆記情報格納用電子文書は、電子ペン２３５によって電子ペン用紙５９９に筆記された内容を、フィールド定義とともにまとめたデータである。以下から構成される。
（１）紙ＩＤ：その筆記情報格納用電子文書に対応付けられた電子ペン用紙に割り当てられている紙ＩＤ
（２）フィールド定義：その筆記情報格納用電子文書への筆記を処理するために使用するフィールド定義
そして、以下を含めてもよい。
（３）帳票イメージ：その筆記情報格納用電子文書に印刷されている帳票イメージ
【００４４】
次に、本実施の形態で生成されるドットコード画像の元となるコードパターンについて説明する。
図７は、本実施の形態で取り扱う情報画像（コードパターン画像）の例を示す説明図である。
まず、コードパターンを構成するビットパターンについて説明する。
図７（ａ）に、ビットパターンの配置の一例を示す。
ビットパターンとは、情報埋め込みの最小単位である。ここでは、図７（ａ）に示すように、９箇所の中から選択した２箇所にビットを配置する。図では、黒の四角が、ビットが配置された位置を示し、斜線の四角が、ビットが配置されていない位置を示している。９箇所の中から２箇所を選択する組み合わせは、３６（＝９Ｃ２）通りある。したがって、このような配置方法により、３６通り（約５．２ビット）の情報を表現することができる。
ただし、紙ＩＤ及び位置情報は、この３６通りのうち３２通り（５ビット）を使用して表現するものとする。
ところで、図７（ａ）に示した最小の四角は、６００ｄｐｉにおける２ドット×２ドットの大きさを有している。６００ｄｐｉにおける１ドットの大きさは０．０４２３ｍｍなので、この最小の四角の一辺は、８４．６μｍ（＝０．０４２３ｍｍ×２）である。コードパターンを構成するドットは、大きくなればなるほど目に付きやすくなるため、できるだけ小さいほうが好ましい。ところが、あまり小さくすると、プリンタで印刷できなくなってしまう。そこで、ドットの大きさとして、５０μｍより大きく１００μｍより小さい前記の値を採用している。これにより、プリンタで印刷可能な最適な大きさのドットを形成することができる。つまり、８４．６μｍ×８４．６μｍが、プリンタで安定的に形成可能な最小の大きさなのである。
なお、ドットをこのような大きさにすることで、１つのビットパターンの一辺は、約０．５（＝０．０４２３×２×６）ｍｍとなる。
また、このようなビットパターンから構成されるコードパターンについて説明する。
図７（ｂ）に、コードパターンの配置の一例を示す。
ここで、図７（ｂ）に示した最小の四角が、図７（ａ）に示したビットパターンに相当する。すなわち、紙ＩＤを符号化した識別符号は、１６（＝４×４）個のビットパターンを使用して埋め込まれる。また、Ｘ方向の位置情報を符号化したＸ位置符号と、Ｙ方向の位置情報を符号化したＹ位置符号とは、それぞれ、４個のビットパターンを使用して埋め込まれる。さらに、左上角部に、コードパターンの位置と回転を検出するための同期符号が、１つのビットパターンを使用して埋め込まれる。
なお、１つのコードパターンの大きさは、ビットパターンの５個分の幅に等しいため、約２．５ｍｍとなる。本実施の形態では、このように生成したコードパターンを画像化したコードパターン画像を、用紙全面に配置する。
【００４５】
図８は、本実施の形態における情報の符号化処理例及び情報画像（ドットコード画像）の生成処理例を示す説明図である。
まず、紙ＩＤの符号化について説明する。
紙ＩＤの符号化には、ブロック符号化方式のＲＳ（リードソロモン）符号が使用される。図７で説明した通り、本実施の形態では、５ビットの情報を表現できるビットパターンを用いて情報を埋め込む。したがって、情報の誤りも５ビット単位で発生するため、ブロック符号化方式で符号化効率がよいＲＳ符号を使用している。ただし、符号化方式はＲＳ符号に限定するものでなく、その他の符号化方式、例えば、ＢＣＨ符号等を使用することもできる。
前述したように、本実施の形態では、５ビットの情報量をもつビットパターンを用いて情報を埋め込む。したがって、ＲＳ符号のブロック長を５ビットとする必要がある。そのため、紙ＩＤを５ビットずつに区切り、ブロック化する。図８では、紙ＩＤ「００１１１０１１０１００１…」から、第１のブロック「００１１１」と、第２のブロック「０１１０１」とが切り出されている。
そして、ブロック化された紙ＩＤに対し、ＲＳ符号化処理を行う。図８では、「ｂｌｋ１」、「ｂｌｋ２」、「ｂｌｋ３」、「ｂｌｋ４」、…というようにブロック化した後、ＲＳ符号化が行われる。
ところで、本実施の形態において、紙ＩＤは、１６（＝４×４）個のブロックに分けられる。そこで、ＲＳ符号における符号ブロック数を１６とすることができる。
また、情報ブロック数は、誤りの発生状況に応じて設計することができる。例えば、情報ブロック数を８とすれば、ＲＳ（１６，８）符号となる。この符号は、符号化された情報に４ブロック（＝（１６−８）÷２）の誤りが発生しても、それを補正することができる。また、誤りの位置を特定できれば、訂正能力をさらに向上することができる。なお、この場合、情報ブロックに格納される情報量は、４０ビット（＝５ビット×８ブロック）であるが、このうち３２ビットを用いる。
【００４６】
次に、位置情報の符号化について説明する。
位置情報の符号化には、擬似乱数系列の一種であるＭ系列符号が使用される。ここで、Ｍ系列とは、Ｋ段の線形シフトレジスタで発生できる最大周期の系列であり、２Ｋ−１の系列長をもつ。このＭ系列から取り出した任意の連続したＫビットは、同じＭ系列中の他の位置に現れない性質をもつ。そこで、この性質を利用することにより、位置情報を符号化することができる。
ところで、本実施の形態では、符号化すべき位置情報の長さから、必要なＭ系列の次数を求め、Ｍ系列を生成している。しかしながら、符号化する位置情報の長さが予め分かっている場合は、Ｍ系列を毎回生成する必要はない。すなわち、固定のＭ系列を予め生成しておき、それをメモリ等に格納しておけばよい。
例えば、系列長８１９１のＭ系列（Ｋ＝１３）を使用したとする。
この場合、位置情報も５ビット単位で埋め込むため、系列長８１９１のＭ系列から５ビットずつ取り出してブロック化する。図８では、Ｍ系列「１１０１００１１０１１０１０…」が、５ビットずつブロック化されている。
【００４７】
このように、本実施の形態では、位置情報と紙ＩＤとで、異なる符号化方式を用いている。これは、紙ＩＤの検出能力を、位置情報の検出能力よりも高くなるように設定する必要があるからである。つまり、位置情報は、紙面の位置を取得するための情報なので、ノイズ等によって復号できない部分があっても、その部分が欠損するだけで他の部分には影響しない。これに対し、紙ＩＤは、復号に失敗すると、筆記情報を反映する対象を検出できなくなるからである。さらに、このような構成とすることによって、位置情報と紙ＩＤを復号する際の画像読取範囲を最小化できる。すなわち、位置情報にＲＳ符号等の境界を有する符号化方式を使用すると、それを復号する際には境界間の符号を読み取る必要があるため、画像を読み取る範囲は図７（ｂ）に示した領域の２倍の領域とする必要がある。しかし、Ｍ系列を使用することで、図７（ｂ）に示した領域と同じ大きさの領域を読み取ればよい構成にできる。これは、Ｍ系列の性質上、Ｍ系列の任意の部分系列から位置情報を復号できるからである。すなわち、紙ＩＤと位置情報を復号する際には、図７（ｂ）に示した大きさの領域を読み取る必要があるが、その読み取る位置は、図７（ｂ）に示した境界と一致させる必要はない。位置情報は、Ｍ系列の任意位置の部分系列から復号できる。紙ＩＤは、同じ情報が用紙全面に配置されるため、図７（ｂ）に図示した境界から読取位置がずれても、読み取られた情報の断片を再配置することで元の情報を復元することができる。
【００４８】
以上のように、紙ＩＤがブロック分割された後、ＲＳ符号により符号化され、また、位置情報がＭ系列により符号化された後、ブロック分割されると、図示するように、ブロックが合成される。すなわち、これらのブロックは、図示するようなフォーマットで２次元平面に展開される。図８に示したフォーマットは、図７（ｂ）に示したフォーマットに対応している。すなわち、黒の四角が同期符号を意味している。
また、横方向に配置された「１」、「２」、「３」、「４」、…がＸ位置符号を、縦方向に配置された「１」、「２」、「３」、「４」、…がＹ位置符号を、それぞれ意味している。位置符号は、用紙の位置が異なれば異なる情報が配置されるので、座標位置に対応する数字で示しているのである。一方、斜線部分の四角が識別符号を意味している。識別符号は、用紙の位置が異なっても同じ情報が配置されるので、全て同じマークで示しているのである。
ところで、図からも分かる通り、２つの同期符号の間には、４個のビットパターンがある。したがって、２０（＝５×４）ビットのＭ系列の部分系列を配置することができる。２０ビットの部分系列から１３ビットの部分系列を取り出せば、その１３ビットが全体（８１９１）の中のどの部分の部分系列なのかを特定することができる。このように、２０ビットのうち１３ビットを位置の特定に使用した場合、取り出した１３ビットの誤りの検出又は訂正を、残りの７ビットを使用して行うことができる。すなわち、Ｍ系列を生成したときと同じ生成多項式を使用して、２０ビットの整合性を確認することで、誤りの検出と訂正が可能となるのである。
その後、各ブロックにおけるビットパターンが、ドット画像を参照することにより画像化される。そして、図８の最右に示すようなドットで情報を表す出力画像が生成される。
【００４９】
図９は、本実施の形態のより具体的な構成例を示すモジュール構成図である。
筆記情報処理システム２３０は、筆記情報受付モジュール９１０、筆記情報解析モジュール９２０、文書データ編集モジュール９３０、筆記情報登録モジュール９４０、筆記情報記憶モジュール９５０を有している。筆記情報処理システム２３０は、電子ペン用紙上に電子ペン２３５で筆記した筆記情報をペンから取り出し、蓄積・管理するシステムである。図１に例示したモジュールと比較すると、筆記情報受付モジュール９１０は受付モジュール１１０に対応し、筆記情報解析モジュール９２０は検出モジュール１２０に対応し、文書データ編集モジュール９３０は統合モジュール１３０に対応し、筆記情報登録モジュール９４０は出力モジュール１４０に対応する。
筆記情報記憶モジュール９５０には、紙ＩＤ毎に以下のデータが管理されている。例えば、紙ＩＤで特定された用紙に対応する文書データ、紙ＩＤで特定された用紙に電子ペン２３５で筆記された筆記情報等が記憶されている。また、文書データが複数ページの用紙に対応することは許容される。そして、文書データは、文書のイメージデータ、文書を構成するフィールドの定義、各フィールドに属する筆記を手書き文字認識した結果のテキストデータ等から、構成される。そして、文書データが複数ページの用紙に対応する場合、これらの情報がページ数分文書データ内に存在することとなる。
【００５０】
図１０は、本実施の形態による処理例を示す説明図である。ここでは、電子ペン用紙１０１０、電子ペン用紙１０２０、電子ペン用紙１０３０を統合する処理について説明する。
（１）ステップ１（図１０（ａ））：複数の紙面にまたがった筆記が実施される。
図１０（ａ）の例に示すように、操作者は、各用紙の上部が見えるように電子ペン用紙１０１０、電子ペン用紙１０２０、電子ペン用紙１０３０を重ねる。そして、電子ペン２３５を用いて、各用紙の右上部分の領域に１ストロークによる筆記１０５０を行う。ここでは、電子ペン用紙１０１０、電子ペン用紙１０２０、電子ペン用紙１０３０の順で筆記１０５０が行われたとする。この動作が統合動作となる。
（２）ステップ２（図１０（ｂ））：筆記情報を電子ペンに取り込む。
筆記１０５０に関する情報を電子ペン２３５内のメモリに記憶させ、そして、その情報を筆記情報処理システム２３０へ転送する。
【００５１】
（３）ステップ３（図１０（ｃ））：筆記がなされた用紙の紙ＩＤをリストとして収集する。
筆記情報処理システム２３０は、筆記情報から統合動作を検出した場合に、その筆記情報内に含まれている複数の紙ＩＤを取り出す。これらの紙ＩＤによって表される用紙が統合対象である。なお、図１０（ｃ）の例に示すように、電子ペン用紙１０１０に印刷された情報画像内の紙ＩＤとして「３３５６７８」、次に電子ペン用紙１０２０に印刷された情報画像内の紙ＩＤとして「０２３１７５」、次に電子ペン用紙１０３０に印刷された情報画像内の紙ＩＤとして「７６０９８５」を取り出す。
（４）ステップ４（図１０（ｄ））：紙ＩＤに対応する文書データを取得する。
筆記情報処理システム２３０は、紙ＩＤによって示されている文書データを例えば文書データベース等から取得する。図１０（ｄ）の例に示すように、紙ＩＤ「３３５６７８」として文書データ１０１２、紙ＩＤ「０２３１７５」として文書データ１０２２、紙ＩＤ「７６０９８５」として文書データ１０３２を取得する。そして、それらの文書データに各用紙に筆記された情報が合成される。
（５）ステップ５（図１０（ｅ））：統合した文書データとする。
文書データ１０１２、文書データ１０２２、文書データ１０３２を一連の用紙群として統合する。例えば、文書データ１０１２、文書データ１０２２、文書データ１０３２の順にページが付された文書として利用できるようにする。
【００５２】
図１１は、本実施の形態による処理例を示すフローチャートである。
電子ペン２３５と筆記情報処理システム２３０が接続されると、電子ペン２３５のメモリ内の筆記情報が、筆記情報受付モジュール９１０経由で筆記情報処理システム２３０に取り込まれる。筆記情報処理システム２３０は、取り込まれた筆記情報を図１１に例示したフローチャートにしたがった処理を行う。
【００５３】
ステップＳ１１０２では、筆記情報受付モジュール９１０が、未処理の筆記情報が存在するか否かを判断し、存在する場合はステップＳ１１０４へ進み、それ以外の場合は処理を終了する（ステップＳ１１９９）。
ステップＳ１１０４では、筆記情報解析モジュール９２０が、筆記情報を一つ取り出す。
ステップＳ１１０６では、筆記情報解析モジュール９２０が、統合動作であるか否かを判断し、統合動作である場合はステップＳ１１０８へ進み、それ以外の場合はステップＳ１１１６へ進む。
ステップＳ１１０８では、文書データ編集モジュール９３０が、筆記情報に含まれる紙ＩＤのリストを取り出す。
【００５４】
ステップＳ１１１０では、文書データ編集モジュール９３０が、リストに含まれる紙ＩＤに対応する文書データ群を取り出す。
ステップＳ１１１２では、文書データ編集モジュール９３０が、文書データ群をまとめて、単一の文書データとして登録する。
ステップＳ１１１６では、筆記情報登録モジュール９４０が、紙ＩＤに筆記情報を対応付けて登録する。
【００５５】
図１３は、電子ペン用紙印刷システム２２０内の構成例についての概念的なモジュール構成図である。
電子ペン用紙印刷システム２２０は、印刷指示受付モジュール１３１０、統合指示領域指定モジュール１３２０、統合指示領域記憶モジュール１３３０、画像生成モジュール１３４０、印刷モジュール１３５０を有している。
印刷指示受付モジュール１３１０は、統合指示領域指定モジュール１３２０と接続されている。キーボード、マウス、タッチパネル等に対する操作者の操作に基づいて、情報画像が付された文書の印刷に関する指示が行われ、印刷指示受付モジュール１３１０は、その指示を受け付ける。この指示内には、図１６の例を用いて後述する統合指示領域１６１２の印刷指示が含まれていてもよい。
【００５６】
統合指示領域指定モジュール１３２０は、印刷指示受付モジュール１３１０、統合指示領域記憶モジュール１３３０、画像生成モジュール１３４０と接続されている。統合指示領域記憶モジュール１３３０は、統合指示領域指定モジュール１３２０と接続されている。印刷指示受付モジュール１３１０が受け付けた印刷指示内に統合指示領域１６１２の印刷指示が含まれている場合は、統合指示領域指定モジュール１３２０によって統合指示領域１６１２の指定が行われる。統合指示領域１６１２の指定は、予め定められた領域（例えば、左上のＸ座標、Ｙ座標、右下のＸ座標、Ｙ座標等）であってもよいし、キーボード、マウス、タッチパネル等に対する操作者の操作に基づいて指定されてもよい。また、全ての用紙に同じ統合指示領域１６１２の指定が行われてもよいし、ページ毎に異なる統合指示領域１６１２の指定が行われてもよい。また、指定結果は、紙ＩＤに対応させて統合指示領域記憶モジュール１３３０に記憶させる。例えば、統合指示領域１４００を生成して、統合指示領域記憶モジュール１３３０に記憶させる。図１４は、統合指示領域１４００のデータ構造例を示す説明図である。統合指示領域１４００は、紙ＩＤ欄１４１０、ｘ１欄１４２０、ｙ１欄１４３０、ｘ２欄１４４０、ｙ２欄１４５０を有している。紙ＩＤ欄１４１０は、紙ＩＤを記憶している。ｘ１欄１４２０は、統合指示領域１６１２の一方の角のＸ座標を記憶している。ｙ１欄１４３０は、統合指示領域１６１２の一方の角のＹ座標を記憶している。ｘ２欄１４４０は、統合指示領域１６１２の他方の角のＸ座標を記憶している。ｙ２欄１４５０は、統合指示領域１６１２の他方の角のＹ座標を記憶している。なお、（ｘ１，ｙ１）と（ｘ２，ｙ２）は対角の座標である。
【００５７】
画像生成モジュール１３４０は、統合指示領域指定モジュール１３２０、印刷モジュール１３５０と接続されている。画像生成モジュール１３４０は、図８の例を用いて説明したように情報画像を生成して、印刷する文書イメージに重ね合わせる処理を行う。
印刷モジュール１３５０は、画像生成モジュール１３４０と接続されている。印刷モジュール１３５０は、画像生成モジュール１３４０によって生成された情報画像が重ねられた文書イメージを印刷装置２２５に印刷させる。
【００５８】
図１５は、本実施の形態による処理例を示すフローチャートである。
ステップＳ１５０２では、印刷指示受付モジュール１３１０が、印刷指示を受け付ける。
ステップＳ１５０４では、統合指示領域指定モジュール１３２０が、統合指示領域を指定する。
ステップＳ１５０６では、統合指示領域指定モジュール１３２０が、統合指示領域記憶モジュール１３３０に紙ＩＤと統合指示領域を対応付けて記憶する。
ステップＳ１５０８では、画像生成モジュール１３４０が、電子ペン用紙の画像を生成する。
ステップＳ１５１０では、印刷モジュール１３５０が、電子ペン用紙を印刷する。
【００５９】
図１６は、電子ペン用紙１６１０の例を示す説明図である。電子ペン用紙１６１０は、右上に統合指示領域１６１２を有している。
単純に複数の紙ＩＤを含む筆記をもとに文書データをまとめた場合、間違った筆記をもとに文書データがまとめられる可能性が高くなり、利用者の意図と異なることになる。
この可能性を減少させるために、文書データ中のフィールドの特殊なタイプとして、統合指示領域１６１２（文書取りまとめ用フィールド）を設け、複数の紙ＩＤを含んだ筆記が、各用紙の統合指示領域１６１２を通るものであった場合に、文書データの統合処理を行うようにしてもよい。
統合指示領域１６１２は、文書データ中に定義されているが、筆記時に、用紙上のどこが統合指示領域１６１２にあたるかが分かるように、用紙上にそれと分かる内容（図１６の例では「この領域は文書をまとめる際に使用します」等）が印刷されていてもよい。
【００６０】
図１７は、本実施の形態による処理例を示す説明図である。それぞれの用紙に統合指示領域が印刷されている場合における統合動作例を示すものである。
電子ペン用紙１７１０は統合指示領域１７１２を有しており、電子ペン用紙１７２０は統合指示領域１７２２を有しており、電子ペン用紙１７３０は統合指示領域１７３２を有している。統合動作として、１ストローク内に統合指示領域１７１２、統合指示領域１７２２、統合指示領域１７３２内の座標が含まれていた場合は、電子ペン用紙１７１０、電子ペン用紙１７２０、電子ペン用紙１７３０を一連の用紙群として統合する。この際に、１ストローク内に統合指示領域１７１２、統合指示領域１７２２、統合指示領域１７３２以外の座標が含まれていても統合するようにしてもよい。逆に、１ストローク内に統合指示領域１７１２、統合指示領域１７２２、統合指示領域１７３２以外の座標が含まれている場合は、統合処理を行わないようにしてもよい。
図１１の例に示したフローチャート内のステップＳ１１０６において、統合指示領域記憶モジュール１３３０に記憶されている統合指示領域１４００を参照して、筆記情報内の位置情報は、その紙ＩＤ（紙ＩＤ欄１４１０）に対応する統合指示領域内（ｘ１欄１４２０とｙ１欄１４３０、ｘ２欄１４４０とｙ２欄１４５０の領域内）に含まれているか否かを判断する。
そして、その他の処理は図１１の例に示す処理と同等である。
【００６１】
図１８を参照して、本実施の形態の電子ペン用紙印刷システム２２０、筆記情報処理システム２３０のハードウェア構成例について説明する。図１８に示す構成は、例えばパーソナルコンピュータ（ＰＣ）などによって構成されるものであり、スキャナ等のデータ読み取り部１８１７と、プリンタなどのデータ出力部１８１８を備えたハードウェア構成例を示している。
【００６２】
ＣＰＵ（Ｃｅｎｔｒａｌ  Ｐｒｏｃｅｓｓｉｎｇ  Ｕｎｉｔ）１８０１は、前述の実施の形態において説明した各種のモジュール、すなわち、受付モジュール１１０、検出モジュール１２０、統合モジュール１３０、出力モジュール１４０、印刷指示受付モジュール１３１０、統合指示領域指定モジュール１３２０、画像生成モジュール１３４０、印刷モジュール１３５０等の各モジュールの実行シーケンスを記述したコンピュータ・プログラムにしたがった処理を実行する制御部である。
【００６３】
ＲＯＭ（Ｒｅａｄ  Ｏｎｌｙ  Ｍｅｍｏｒｙ）１８０２は、ＣＰＵ１８０１が使用するプログラムや演算パラメータ等を格納する。ＲＡＭ（Ｒａｎｄｏｍ  Ａｃｃｅｓｓ  Ｍｅｍｏｒｙ）１８０３は、ＣＰＵ１８０１の実行において使用するプログラムや、その実行において適宜変化するパラメータ等を格納する。これらはＣＰＵバスなどから構成されるホストバス１８０４により相互に接続されている。
【００６４】
ホストバス１８０４は、ブリッジ１８０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス１８０６に接続されている。
【００６５】
キーボード１８０８、マウス等のポインティングデバイス１８０９は、操作者により操作される入力デバイスである。ディスプレイ１８１０は、液晶表示装置又はＣＲＴ（Ｃａｔｈｏｄｅ  Ｒａｙ  Ｔｕｂｅ）などがあり、各種情報をテキストやイメージ情報として表示する。
【００６６】
ＨＤＤ（Ｈａｒｄ  Ｄｉｓｋ  Ｄｒｉｖｅ）１８１１は、ハードディスクを内蔵し、ハードディスクを駆動し、ＣＰＵ１８０１によって実行するプログラムや情報を記録又は再生させる。ハードディスクには、情報画像、筆記情報、統合文書テーブル１２００、統合指示領域１４００などが格納される。さらに、その他の各種のデータ処理プログラム等、各種コンピュータ・プログラムが格納される。
【００６７】
ドライブ１８１２は、装着されている磁気ディスク、光ディスク、光磁気ディスク、又は半導体メモリ等のリムーバブル記録媒体１８１３に記録されているデータ又はプログラムを読み出して、そのデータ又はプログラムを、インタフェース１８０７、外部バス１８０６、ブリッジ１８０５、及びホストバス１８０４を介して接続されているＲＡＭ１８０３に供給する。リムーバブル記録媒体１８１３も、ハードディスクと同様のデータ記録領域として利用可能である。
【００６８】
接続ポート１８１４は、外部接続機器１８１５を接続するポートであり、ＵＳＢ、ＩＥＥＥ１３９４等の接続部をもつ。接続ポート１８１４は、インタフェース１８０７、及び外部バス１８０６、ブリッジ１８０５、ホストバス１８０４等を介してＣＰＵ１８０１等に接続されている。通信部１８１６は、通信回線に接続され、外部とのデータ通信処理を実行する。データ読み取り部１８１７は、例えばスキャナであり、ドキュメントの読み取り処理を実行する。データ出力部１８１８は、例えばプリンタであり、ドキュメントデータの出力処理を実行する。
【００６９】
なお、図１８に示す情報処理装置のハードウェア構成は、１つの構成例を示すものであり、本実施の形態は、図１８に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続しているような形態でもよく、さらに図１８に示すシステムが複数互いに通信回線によって接続されていて互いに協調動作するようにしてもよい。また、複写機、ファックス、スキャナ、プリンタ、複合機（スキャナ、プリンタ、複写機、ファックス等のいずれか２つ以上の機能を有している画像処理装置）などに組み込まれていてもよい。
【００７０】
なお、図１１に示した処理フローでは、統合動作としての筆記情報は、統合動作であることが判明した後は、削除するようにしてもよい。統合動作としての筆記情報は、文書データに書き込む筆記情報に適していない情報である場合が多いからである。なお、統合動作としての筆記情報を削除する代わりに、文書データに対応付けて記憶させておいてもよい。
また、既に統合処理が行われた用紙群に対して、さらに、統合動作が行われた場合（例えば、１枚の用紙に複数本の統合動作の筆記が行われることになる）は、２回目以降の統合処理は行わないようにしてもよい。
また、逆に、既に統合処理が行われた用紙群に対して、さらに、統合動作が行われた場合は、既に統合処理が行われた用紙群を解除して、新たな統合処理を行うようにしてもよい。用紙群の解除とは、具体的には、例えば、その用紙の紙ＩＤが含まれている統合文書テーブル１２００の統合文書ＩＤを削除すること、又は、その用紙の紙ＩＤだけを統合文書テーブル１２００から削除すること等である。
【００７１】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ  Ｄｉｓｃ（登録商標））、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【符号の説明】
【００７２】
１１０…受付モジュール
１２０…検出モジュール
１３０…統合モジュール
１４０…出力モジュール
２２０…電子ペン用紙印刷システム
２２５…印刷装置
２３０…筆記情報処理システム
２３５…電子ペン
２９９…通信回線
９１０…筆記情報受付モジュール
９２０…筆記情報解析モジュール
９３０…文書データ編集モジュール
９４０…筆記情報登録モジュール
９５０…筆記情報記憶モジュール
１３１０…印刷指示受付モジュール
１３２０…統合指示領域指定モジュール
１３３０…統合指示領域記憶モジュール
１３４０…画像生成モジュール
１３５０…印刷モジュール
【図１】
2014109942.tif 000003
【図２】
2014109942.tif 000004
【図３】
2014109942.tif 000005
【図４】
2014109942.tif 000006
【図５】
2014109942.tif 000007
【図６】
2014109942.tif 000008
【図７】
2014109942.tif 000009
【図８】
2014109942.tif 000010
【図９】
2014109942.tif 000011
【図１０】
2014109942.tif 000012
【図１１】
2014109942.tif 000013
【図１２】
2014109942.tif 000014
【図１３】
2014109942.tif 000015
【図１４】
2014109942.tif 000016
【図１５】
2014109942.tif 000017
【図１６】
2014109942.tif 000018
【図１７】
2014109942.tif 000019
【図１８】
2014109942.tif 000020